(57)【要約】      （修正有）【課題】多量に水を流さなくても、尿石の発生を抑制する水洗式便器を提供する。【解決手段】水洗式便器本体３と、便器の排水を下流側の管に導く排水管５１と、水洗式便器本体３及び排水管５１を結ぶ連結管４１と、少なくとも連結管４１を標的に液体を吐出する液体吐出手段１３１とを有し、液体吐出手段１３１は、水洗式便器本体３の内部に設置されている。【選択図】図３
2013104281.tif 000002
【特許請求の範囲】
【請求項１】
水洗式便器本体と、
前記水洗式便器本体からの排水を下流側の管に導く排水管と、
前記水洗式便器本体及び前記排水管を結ぶ連結管と、
少なくとも前記連結管を標的にして液体を吐出する液体吐出手段とを有する水洗式便器。
【請求項２】
前記液体吐出手段は、水洗式便器本体の内部に設置されていることを特徴とする請求項１に記載の水洗式便器。
【請求項３】
水洗式便器を洗浄する方法であって、
コンピュータが、
洗浄水の流しの有無を示す信号を入力インターフェースから受信するステップと、
流しが有ったと判定されるとタイマーを作動させるステップと、
タイマーの作動開始から第１の所定時間経過したか否かを判定するステップと、
前記第１の所定時間が経過したと判定したら、前記洗浄水の進行方向における所定の箇所に液体を吐出するステップと、
前記液体の吐出後第２の所定時間が経過したら、前記吐出を停止するステップと、を実行する水洗式便器を洗浄する方法。
【請求項４】
水洗式便器を洗浄する方法であって、
コンピュータが、
タイマーが現在の時刻を検知するステップと、
タイマーが所定の時刻を過ぎたか否かを判定するステップと、
タイマーが前記所定の時刻を過ぎた場合には、前記水洗式便器の洗浄水の進行方向における所定の箇所に液体を吐出するステップと、
前記液体の吐出後所定時間が経過したか否かを判定するステップと、
前記液体の吐出後所定時間が経過したら、前記吐出を停止するステップと、を実行する水洗式便器を洗浄する方法。
【請求項５】
水洗式便器を洗浄水する方法であって、
コンピュータが、
洗浄水の流しの有無を示す信号を入力インターフェースから受信するステップと、
前記洗浄水の進行方向における所定の箇所に液体を吐出するステップと、
前記液体の吐出後所定時間が経過したか否かを判定するステップと、
前記液体の吐出後所定時間が経過したら、前記吐出を停止するステップと、を実行する水洗式便器を洗浄する方法。
【請求項６】
水洗式便器を洗浄する方法であって、
コンピュータが、
洗浄水の流しの有無を示す信号を入力インターフェースから受信するステップと、
前記流しの回数を数え、当該流しの回数が所定数を越えたか否かを判定するステップと、
前記所定数を越えたと判定したら、前記洗浄水の進行方向における所定の箇所に液体を吐出するステップと、
前記液体の吐出後所定時間が経過したか否かを判定するステップと、
前記吐出を停止するステップと、を実行する水洗式便器を洗浄する方法。
【発明の詳細な説明】
【技術分野】
【０００１】
本発明は、水洗式便器に関する。
【背景技術】
【０００２】
小便器では、人の使用後、尿を洗い流すために洗浄水が流される。従来の小便器にあっては、小便器上部から水が落下して尿と一緒にボール面を伝わり、その後、トラップ経由で、排水管に向けて流れるという洗い落とし方式が採用されている。しかし、洗い落とし方式では、洗浄水の量が少ないため、小便器から排水管への尿の排出効率が悪い。
【０００３】
一方、尿を洗浄水で流した後であっても小便器内には少量ながらも尿は残る。残った尿は、細菌繁殖のもとになり、ぬめりや着色汚れを発生し、さらには臭気の原因になる。また、小便器内に残った尿中のリン酸イオンやカルシウムイオンが原因となって不溶性の尿石が、小便器のトラップと排水管とを結ぶ連結路内にできる虞がある。尿石ができると、連結路が狭くなる。そして、一旦付着した尿石は、ブラシで強く擦らないと除去しにくい。しかも、尿石を十分に除去するためには、専門の業者に依頼する必要があり、これが、小便器を管理する者の負担になっていた。
【０００４】
そこで、排出効率を高めるため洗浄水の流量を多くすることで小便を流し、尿石の発生を抑制することが求められた。
しかしながら、洗浄水の量を多くしても洗い落とし便器では、トラップの瞬間排水量は変化することなく、又、尿石の発生しない箇所にも多くの水が流れることであり、それだけ無駄に洗浄水を使用することになる。
【先行技術文献】
【特許文献】
【０００５】
【特許文献１】特開２００２−１０６０４９号公報
【発明の概要】
【発明が解決しようとする課題】
【０００６】
本発明は、上記事情に鑑みてなされたものであり、多量に水を流さなくても、尿石の発生を抑制することを課題とする。
【課題を解決するための手段】
【０００７】
そこで、本発明の水洗式便器は、次の手段を採用した。
すなわち、水洗式便器本体と、便器の排水を下流側の管に導く排水管と、前記水洗式便器本体及び前記排水管を結ぶ連結管と、少なくとも前記連結管を標的にして液体を吐出する液体吐出手段とを有する。
前記液体吐出手段は、水洗式便器本体の内部に設置されている。
【０００８】
また本発明は、水洗式便器を洗浄する方法でもある。その特徴とするところは、次の通りである。すなわち、コンピュータが、洗浄水の流しの有無を示す信号を入力インターフェースから受信するステップと、流しが有ったと判定されるとタイマーを作動させるステップと、タイマーの作動開始から第１の所定時間経過したか否かを判定するステップと、前記第１の所定時間が経過したと判定したら、前記洗浄水の進行方向における所定の箇所に液体を吐出するステップと、 前記液体の吐出後第２の所定時間が経過したら、前記吐
出を停止するステップと、を実行する水洗式便器を洗浄する方法である。
【０００９】
さらに本発明は、水洗式便器を洗浄する方法であって、コンピュータが、タイマーが現在の時刻を検知するステップと、タイマーが所定の時刻を過ぎたか否かを判定するステップと、タイマーが前記所定の時刻を過ぎた場合には、前記水洗式便器の洗浄水の進行方向における所定の箇所に液体を吐出するステップと、前記液体の吐出後所定時間が経過したか否かを判定するステップと、前記液体の吐出後所定時間が経過したら、前記吐出を停止するステップと、を実行する水洗式便器を洗浄する方法である。
【００１０】
加えて、本発明は、水洗式便器を洗浄する方法であって、コンピュータが、
洗浄水の流しの有無を示す信号を入力インターフェースから受信するステップと、前記洗浄水の進行方向における所定の箇所に液体を吐出するステップと、前記液体の吐出後所定時間が経過したか否かを判定するステップと、前記液体の吐出後所定時間が経過したら、前記吐出を停止するステップと、を実行する水洗式便器を洗浄する方法である。
【００１１】
そして、本発明は、水洗式便器を洗浄する方法であって、コンピュータが、
洗浄水の流しの有無を示す信号を入力インターフェースから受信するステップと、前記流しの回数を数え、当該流しの回数が所定数を越えたか否かを判定するステップと、前記所定数を越えたと判定したら、前記洗浄水の進行方向における所定の箇所に液体を吐出するステップと、 前記液体の吐出後所定時間が経過したか否かを判定するステップと、前記
吐出を停止するステップと、を実行する水洗式便器を洗浄する方法である。
【発明の効果】
【００１２】
本発明によれば、水洗式便器において、多量に水を流さなくても、尿石の発生を抑制し易くなる。
【図面の簡単な説明】
【００１３】
【図１】本発明の便器を水洗式便器に適用した場合の一例を示す斜視図である。
【図２】図１の正面図である。
【図３】図２の縦断面図である。
【図４】図３の要部拡大図である。
【図５】水洗式便器のブロック図である。
【図６】実施例１のフローチャートである。
【図７】実施例２のフローチャートである。
【図８】実施例３のフローチャートである。
【図９】実施例４のフローチャートである。
【発明を実施するための形態】
【実施例１】
【００１４】
以下、この発明を実施するための形態（以下、実施形態）を実施例に基づいて例示的に説明する。但し、この実施例に記載されている構成部品の寸法、材質、形状その相対配置などは、特に特定的に記載がない限りは、この発明の範囲をそれらに限定する趣旨ではない。
【００１５】
図１〜図６を参照して、実施例１に係る発明を水洗式小便器（以下、小便器１）に適用した場合について例示する。小便器１は、床置型（ストール型）、大型、中型、小型に分類される。本実施例に係る小便器１は、床面から上方に離隔した状態で設置される大型の小便器である（図１〜図３参照）。
【００１６】
小便器１は、排出された小便を受ける便器本体３と、便器本体３を囲繞するケース体５と、便器本体３に排出された小便を小便器１の外に排泄する排泄設備７と、脱臭装置８とを有する（図１、図３参照）。
【００１７】
便器本体３は、小便の排泄に使用される衛生陶器である。また、トイレ利用者は、立ったまま小便器１で用を足すようになっている。便器本体３は、使用者の前面に立設されて排尿を受ける部位である受面部３１と、トイレ使用者の陰茎から垂れた尿を受ける垂れ受部分３４と、ボール部３２とを含む（図１、２、３参照）。
【００１８】
受面部３１は、ほぼ平らな面形状をしており、正面形状で長円を縦長にした如き形状をしている（図２参照）。また、受面部３１は、その頂部近傍に、尿を流すための洗浄水を供給する給水部３５を有する（図２、図３参照）。給水部３５は、図示しない外部給水管と接続されている。そして当該給水部３５は、前記外部給水管から供給された水を便器本体３内に供給し、これにより受面部３１及びボール部３２を洗浄する。また、給水部３５の前方には、水流センサ１３２（図３、図５参照）が設けられている。水流センサには、水流によって磁石を動かし、リードスイッチで検知するタイプ(流水スイッチ)と、プロペラや水車で水量も検知するタイプ(水量センサ)とがある。
【００１９】
垂れ受部分３４は、受面部３１とその下方で連続して形成され（図３参照）、使用者側に突き出している。このため、トイレ使用者の陰茎から垂れる尿を便器設置面に落とすことなく小便器１で受けられる。
また、ボール部３２（図２、図３参照）は、受面部３１と連続して形成され、かつ調理用の容器であるボールに似た形状をしている（図３参照）。
【００２０】
ケース体５（図１〜図３参照）は、このような便器本体３を囲繞するものである。具体的には、便器本体３の受面部３１と、垂れ受部分３４を含むボール部３２と、ボール部３２の最低位部分に位置する排水口３６と（図２、図３参照）、排水口３６に接続された排水トラップ１３と（図２参照）、臭気を外部に排出するための管である臭気排出管１００（図３参照）とをケース体５が覆う。また、ケース体５の底面は、床面から離隔し、床面との間に空間ＳＰを形成する（図２、図３参照）。
【００２１】
ケース体５で便器本体３を覆（囲）うと、便器本体３とケース体５との間の内部にスペースＳが画成される（図２参照）。スペースＳの形状は、便器本体３をケース体５で覆ったときにケース体５の内面と便器本体３の外面とによって画成される形状をしている。当該スペースＳは、少なくとも、ボール部３２と、その下方部にある排水トラップ１３とを収納するに十分な大きさの容積を有する。
【００２２】
そして、ケース体５には、その底部にトイレの床面に通じる開口Ｏが形成されている（図１，２参照）。ケース体５の底面は、既述のように床面から空間ＳＰをもって離隔しているので、当該開口Ｏも、床面から所定高さに位置する。開口Ｏは、どんな形状でもかまわないが、好ましくは、ケース体５の下面に向けてできるだけ大きく開いた形状であるものがよい。
【００２３】
なお、ここで、トイレ使用者が、小便器１に正対した状態で手前側を後ろといい、向こう側を前という。また、上下とは小便器１の長手（上下）方向に延びる中心線上において上方を上側といい、下方を下側という。さらに左右とは、小便器１に利用者が正対した状態で右側を右といい、左側を左という。
【００２４】
また、図３及び図４に示すように、排泄設備７は、排水口３６（図３参照）と、その後部に接続されている排水トラップ１３と、排水管の一つであって、小便器１の排水を下流側の管に導くための横引き排水管５１と、排水トラップ１３及び横引き排水管５１をつなぐ排水接続継手アダプタ４１とを含む（図３参照）。なお、排水トラップ１３と、排水接続継手アダプタ４１との間には、ゴム製のガスケット１３０が介在されている（図４参照
）。
【００２５】
排水トラップ１３（図３参照）は、排水口３６から所定の長さで後方に直進し、そこから上方に向けて凸状に湾曲した如き形状をしている。換言すれば、横倒しにしたＳの字を変形させた如き形状である。当該凸の大きさは、小便器１が十分な封水深を確保できる程度のものである。そして、排水トラップ１３は、その後端部における上位置でかつケース体５の内部にジェット洗浄器１３１（図４参照）が取り付けられている。ジェット洗浄器１３１とは、図示しない高圧水発生装置で加圧された高圧水をノズルから噴射し、その時の衝撃力を利用して主として排水接続継手アダプタ４１の洗浄に供することにより、尿石などの除去を行うものである。
【００２６】
なお、排水接続継手アダプタ４１のうち排水トラップ１３との接続箇所ａ（洗浄水の進行方向における所定の箇所。図４参照。）、換言すると、排水接続継手アダプタ４１内であって、入り口付近が最も尿石が析出し易い。また、接続箇所ａは、頂部が平らな山形の平らな頂部に該当する箇所である。そして、接続箇所ａは、封水深よりも高所に位置する。このため、当該箇所ａに尿を含んだ流水が常にあるとは必ずしも限らない。つまり接続箇所ａでは、流水がある場合と流水の無い場合とがあり、流水が無い場合は、尿を含んだ流水が漸次乾燥するため尿石が成長し易い。反対に流水が有る場合は、たとえ流水に尿が含まれていたとしても下流に向けて水が流れるため尿石が出現し難い。換言すると、前記接続箇所ａは、小便器使用者が用足しに使用することにより、当該接続箇所ａを小便が通っては乾き、乾いては通ることにより、尿石が出来易い箇所である。
【００２７】
そして、当該接続箇所ａを標的にして高圧水をジェット洗浄器１３１のノズルから噴射し、その噴射力で前記接続箇所ａにできる尿石を除去してもよいし、尿石ができる前に噴射して接続箇所ａを洗浄するようにしてもよい。
【００２８】
ジェット洗浄器１３１においては、前記接続箇所ａ及びその近傍をめがけて、斜め上後方から斜め下前方へと高圧水が噴射されるように（図４の白矢印Ａ参照）、ノズルの位置調整がされている。ジェット洗浄器１３１は、ホース用ノズル１３３と、ホース用ノズル１３３に接続されて高圧の水を送る超高圧ホース１３４とで形成されている（図４参照）。
【００２９】
ジェット洗浄器１３１は、フランジ１３６を有している。そして、排水トラップ１３の天井面１３ａには、ホース用ノズル１３３が貫通される貫通孔１３ｂが形成されており、当該貫通孔１３ｂにフランジ１３６が当接するまで圧入される。このとき、ホース用ノズル１３３の先端からフランジ１３６までの寸法の方が、貫通孔１３ｂの長さ寸法よりも長い。このため、ジェット洗浄器１３１を貫通孔１３ｂに組み込んだときに、ホース用ノズル１３３の先端１３ｄが、貫通孔１３ｂからわずかに下方に突出する。このときホース用ノズル１３３の吐出口１３３ｄが前記部位ａをめがけて排水することができるように、ホース用ノズル１３３を貫通孔１３ｂに組み込む。なお、貫通孔１３ｂとホース用ノズル１３３との間にブシュ１３ｃが組み込まれている（図４参照）。これは、ホース用ノズル１３３が貫通孔１３ｂから抜け出るのを防止すると共に、ホース用ノズル１３３と貫通孔１３ｂとの間の隙間から排水トラップ１３内から外に向けた水漏れの発生を抑制するためである。
【００３０】
なお、ジェット洗浄器１３１を天井面１３ａの貫通孔１３ｂに圧入することで、ジェット洗浄器１３１を排水トラップ１３の天井面１３ａに取り付けたものを示したが、これに限らず、ジェット洗浄器１３１と天井面１３ａとを螺合することで、ジェット洗浄器１３１を排水トラップ１３の天井面１３ａに取り付けるようにしてもよい。ジェット洗浄器１３１を天井面１３ａの貫通孔１３ｂに圧入することでも、天井面に対するノズルの位置調
整は可能であるが、螺合によって位置調整した場合は微調整ができる。
【００３１】
このように、ホース用ノズル１３３を貫通孔１３ｂに組み込むことにより、ジェット洗浄器１３１が排水トラップ１３の天井面１３ａに対して垂直に立設される。併せてホース用ノズル１３３の先端（ホース用ノズル１３３を貫通孔１３ｂに組み込んだときの下端）が、前記貫通孔１３ｂから下方に突出する。
【００３２】
そして、この状態でジェット洗浄器１３１を作動させることにより、尿石が出来やすい部位である、排水トラップ１３と排水接続継手アダプタ４１との接合箇所における接続箇所ａに向けて、または排水接続継手アダプタ４１のうち白矢印Ａの延長線上の箇所に対してホース用ノズル１３３から水等の液体がジェット噴射されるようになっている。
さらに、尿石ができる前にジェット洗浄器１３１を定期的に作動すれば、尿石が発生しにくい。
【００３３】
また、排水トラップ１３の前端には、小便器１の外部に設置された排水接続継手アダプタ４１が既述のように、接続されている（図４参照）。そして、排水トラップ１３と、排水接続継手アダプタ４１との間には、既述のように、ゴム製のガスケット１３０が介在されている。さらに、排水接続継手アダプタ４１の下流側に横引き排水管５１が接続されている。
【００３４】
横引き排水管５１は、建物の床下などに横（左右）方向に設置されてる。また、横引き排水管５１は、小便器に排出された小便を、図示しない外部下水管に向けて搬送するための管であり、排水接続継手アダプタ４１と交叉する方向で接続されている。
【００３５】
排水接続継手アダプタ４１は、前記排水トラップ１３及び横引き排水管５１をつなぐ連結管として機能する。そのため、排水接続継手アダプタ４１は、その上流側端が排水トラップ１３と接続されるトラップ用接続構造４００とされ（図３、図４参照）、排水接続継手アダプタ４１の下流側端は、横引き排水管５１と接続される横引き排水管用接続構造４１３とされている（図４参照）。
【００３６】
トラップ用接続構造４００は（図４参照）、排水接続継手アダプタ４１（図４参照）の上流側端に形成された外嵌部４０２に、ケース体５の背面から前方に突出して形成され、前記外嵌部４０２と嵌合する内嵌部４０４が嵌合することで形成される（図４参照）。また、内嵌部４０４の外周面には、シールリング４０６が取り付けられており（図４参照）、外嵌部４０２に内嵌部４０４を嵌合すると両者の間がシールリング４０６によってシールされる。
【００３７】
横引き排水管用接続構造４１３（図４参照）は、排水接続継手アダプタ４１の下流側端の外周面周りに形成された内嵌部４１２に、横引き排水管５１にＵ字状に巻着される巻着部４１４の自由端４１４ａを外嵌することで形成される（図４参照）。内嵌部４１２の外周面には、シールリング４１５が取り付けられており（図４参照）、これにより、巻着部４１４の自由端４１４ａと排水接続継手アダプタ４１との嵌合箇所をシールする（図４参照）。
【００３８】
また、図示しない電磁弁装置により、給水部３５（図２、図３参照）から配水される洗浄水が、受面部３１とボール部３２の内面を洗浄する。洗浄後の水の流れは、前記排水口３６（図３参照）から、排水トラップ１３、排水接続継手アダプタ４１及び横引き排水管５１を経由して（図３、図４参照）、図示しない外部下水管に排水される。
【００３９】
ところで、既述した垂れ受部分３４があっても（図３参照）、尿が小便器１の内から外
へ飛散したり、小便器１からそれて小便器１の周囲を汚したりする場合がある。このような場合において、床面に垂れてしまった尿から発する臭いを除去するためのものが、前記開口Ｏ及びこの開口Ｏにつながる臭気排出管１００を含む脱臭装置８である（図２〜図４参照）。脱臭装置８によれば、その臭気排出管１００（図４参照）は、便器本体３の背面に開口１０２（図４参照）が形成され、かつトイレの外部（ケース体５の外部）に通じている。床面に垂れた尿の臭いは、次のようにして外部に排出される。
【００４０】
すなわち、小便器１は、臭いの発生源となる小便器１から小便が漏れたり、付着したりして、小便の溜まる便器本体３の底部付近及びケース体５の外部をトイレの床面に通じる開口Ｏ及び臭気排出管１００を介して通じさせる（図２〜図４参照）。よって、尿の臭いをケース体５の外部に向けて排出できる。これは、物質の拡散、すなわち、粒子、熱、運動量などが自発的に散らばり、かつ広がる物理現象を利用したものである。よって、尿の悪臭によりトイレ利用者に不快感を低減することができる。
【００４１】
次に排水接続継手アダプタ４１を用いて排水トラップ１３と、横引き排水管５１とのつなぎ方を説明する。排水接続継手アダプタ４１は、その上流側端が既述したトラップ用接続構造４００を介して排水トラップ１３と接続されている（図３、図４参照）。また、排水接続継手アダプタ４１の下流側端は、既述した横引き排水管用接続構造４１３を介して横引き排水管５１と接続されている（図４参照）。
【００４２】
さらに、図４に示すように、小便器１を右側面から見たときに、排水接続継手アダプタ４１の上流側端が、横引き排水管５１よりも高い位置にある。よって、小便器１と横引き排水管５１との間に落差を生じる。
【００４３】
このため、給水部３５から小便器１のボール部３２及び排水トラップ１３を経由して、排水接続継手アダプタ４１に至った排水（図３、図４参照）は、勢いがついた状態で排水接続継手アダプタ４１を横引き排水管５１に向けて流れる。
【００４４】
また、排水接続継手アダプタ４１よりも上位に既述したジェット洗浄器１３１が設置されている（図４参照）。そして、既述したように、接続箇所ａ（図４参照）を標的にして高圧水をジェット洗浄器１３１のノズルから噴射し、その噴射力で前記接続箇所ａにできる尿石を除去する。
【００４５】
なお、噴射力で尿石を除去する箇所、すなわち標的は、前記接続箇所ａに限られない。例えば、排水接続継手アダプタ４１のうち白矢印Ａの延長線上にある排水接続継手アダプタ４１でもよい。この場合、ジェット洗浄器１３１のノズル１３３から白矢印Ａの延長方向にある排水接続継手アダプタ４１は、図４に正対した場合において右斜め下方にあるので、ジェット洗浄器１３１のノズル１３３から排水接続継手アダプタ４１に向けて噴射があると、この噴射による力と重力とが相俟って、排水接続継手アダプタ４１の内面に付着している尿石を除去する除去力が高まる。
【００４６】
横引き排水管５１に至った排水は、横引き排水管５１に案内された後、横引き排水管５１よりも下流の排水管であって上下に延びる縦管や排水本管（いずれも図示せず）を経由して、最終的に屎尿処理場に案内され、そこで処理される。
【００４７】
図５は、本発明に係る水洗式便器のブロック図である。
図５において、制御部７０には、中央処理装置（ＣＰＵ）、ジェット洗浄器１３１の動作時間を設定するタイマー７０ａ、流しの回数をカウントするカウンター７０ｂを有する。その他、制御部７０は、図示しない、発信される情報のデータの読み出し／書き込みメモリ（ＲＡＭ）、本システム実行用のプログラムを記憶する読み出し専用メモリ（ＲＯＭ
）、これらを接続するバスを有するように構成されている。
【００４８】
また、図５における小便器１には、ジェット洗浄器１３１及び水流センサ１３２を有するように構成されている。
そして、制御部７０及び小便器１は、インターフェース（Ｉ／Ｆ）を介在させることによって、制御部７０からジェット洗浄器１３１に向けて情報が伝達され、水流センサ１３２から制御部７０に向けて情報が伝達されることが示されている。
【００４９】
なお、コンピュータの部品間の通信リンクとしてこの実施例では、シリアル通信が使われている。シリアル通信アーキテクチャの例としては、次に示すようなものを例示できるがこれらに限定されるものではない。例えば、単にＯＮ／ＯＦＦを検出するスイッチの信号から、０（Low）、１（High）の信号を制御部７０に入力してもよい。
・RS-232 （低速、シリアルポートで使われる）
・RS-423
・RS-485
・Universal Serial Bus
・Ｉ2Ｃ（アイ・スクエアド・シー）
但し、水流センサを用いる代わりに水洗をＯＮ／ＯＦＦするためのセンサ、例えば、赤外線センサの出力信号により、水の流れを検知してもよい。つまり、センサにより、水の流れ指示が為されたことを持って、水流を検知したものと見なしてもよい。
【００５０】
図６は、このような構成の水洗式便器を用いて、ジェット洗浄器１３１から定期的に水等が噴射される場合の制御部７０による手順を示すフローチャートである。
【００５１】
Ｓ６１では、その日のうちにされた給水部３５による最初のトイレへの流しの有無を例えば水流センサ１３２で検知する。検知したデータは制御部７０に送信され制御部７０により流しの有無が判定される。肯定判定すればＳ６２に進む。否定判定すればＳ６１のステップを繰り返す。
Ｓ６２では、タイマー７０ａが作動を開始する。
Ｓ６３では、所定時間（第１の所定時間）が、Ｓ６２におけるタイマー７０ａの作動開始から経過したか否かを判定する。例えば３ｈ経過したか否かを判定する。肯定判定の場合はＳ６４に進む。否定判定の場合は、本ルーチンを繰り返す。
Ｓ６４では、ジェット洗浄器１３１が作動する。この結果、前記洗浄水の進行方向における所定の箇所に液体を吐出する。所定の箇所とは、例えば、排水接続継手アダプタ４１内であって、入り口付近である。排水接続継手アダプタ４１の入り口付近が最も尿石が析出し易い。
Ｓ６５では、ジェット洗浄器１３１の作動後所定時間（第２の所定時間）が経過したか否かを判定し、肯定判定したらＳ６６に進む。否定判定の場合はこのルーチンを繰り返す。
Ｓ６６では、ジェット洗浄器１３１の作動が停止し、洗浄水の進行方向における所定の箇所への液体の吐出が終了する。その後はＳ６１に戻る。
【００５２】
（作用効果）
実施例１に係る発明では、排水トラップ１３の前端上部にジェット洗浄器１３１が取り付けられている。ジェット洗浄器１３１は、少なくとも前記排水接続継手アダプタ４１を標的にして液体を吐出する液体吐出手段として機能する。そして、ジェット洗浄器１３１は、高圧で水や薬液などの液体を少なくとも排水接続継手アダプタ４１を標的に噴射する。ジェット洗浄器１３１が作動することにより、尿石が除去される。また、尿石ができる前にジェット洗浄器１３１を定期的（この実施例では、例えば３時間毎：図６のＳ６３）に作動するようになっているので、尿石が発生しにくい。排水接続継手アダプタ４１を標
的にして噴射するということはピンポイントで高圧の液体を噴射するということなので、尿石が発生していても集中的に除去し易くなる。したがって、除去効率がよい。また、ピンポイントで高圧の液体を噴射するので、多量に水を流さなくても、尿石の発生を抑制し易い。
【００５３】
また、ジェット洗浄器１３１がケース体５の内部に設置されているので、ジェット洗浄器１３１から噴出される水等の液体が吐出されることにより生ずる音も低減される。このため、さほど音が気にならない。
【実施例２】
【００５４】
次に図７を参照して実施例２について述べる。この実施例２に係る発明は、制御部７０によりタイマーを作動させることで、夜中にジェット洗浄器を作動させるというものである。
【００５５】
Ｓ７１では、現在の時刻を検知する。
Ｓ７２ではＳ７１で検知した時刻が夜の１２時を過ぎているか否かを判定する。Ｓ７２で肯定判定すればＳ７３に進む。否定判定した場合は、肯定判定するまでこのルーチンを繰り返す。
【００５６】
Ｓ７３では、ジェット洗浄器が作動する。
Ｓ７４では、ジェット洗浄器が作動してから所定時間経過したか否かを判定する。肯定判定する場合は、Ｓ７５に進む。否定判定する場合は、肯定判定するまでこのルーチンを繰り返す。「ジェット洗浄器が作動してから所定時間」の"所定時間"とは、当該所定時間の間"ホース用ノズル１３３"が作動している時間である。つまり当該所定時間、ホース用ノズル１３３が作動したならば、ぬめりや着色汚れの発生を抑制し、さらには臭気の原因を断ち易くできるようになる時間である。加えて、小便器１内に残った尿中のリン酸イオンや、カルシウムイオンが原因となって不溶性の尿石が、小便器１の排水トラップ１３と横引き排水管５１とを結ぶ排水接続継手アダプタ４１内にできるのを抑制し易くなる時間である。
【００５７】
Ｓ７５では、ジェット洗浄器の作動を停止し、洗浄水の進行方向における所定の箇所への液体の吐出が終了する。Ｓ７４で所定時間ジェット洗浄器が作動すると、ぬめり等の発生を抑制できる。このため、それ以上、ジェット洗浄器の作動を継続する必要がないからである。
【００５８】
（作用効果）
実施例２によれば、タイマーを作動させることで、皆が寝静まっている夜中にジェット洗浄器を作動させるというものである。夜中であれば、皆が眠っているため、ジェット洗浄器の音があっても気にならない。
【実施例３】
【００５９】
次に図８を参照して実施例３について述べる。実施例３に係る発明は、トイレへの給水部３５（図２、図３参照）からの給水１回毎にジェット洗浄器１３１の作動を制御部７０により１回行うというものである。
【００６０】
Ｓ８１では、トイレの流しがあったか否かを水流センサ１３２で検知し、検知したデータはＩ／Ｆを経由して制御部７０に渡され、トイレの流しの有無が判定される。
肯定判定すればＳ８２に進む。Ｓ８２で否定判定すれば肯定判定するまでこのルーチンを繰り返す。
【００６１】
Ｓ８２では、ジェット洗浄器が作動する。
Ｓ８３では、ジェット洗浄器が作動してから所定時間経過したか否かを判定する。肯定判定する場合は、Ｓ７５に進む。否定判定する場合は、肯定判定するまでこのルーチンを繰り返す。「ジェット洗浄器が作動してから所定時間」の"所定時間"とは、当該所定時間の間"ホース用ノズル１３３"が作動している時間である。つまり当該所定時間、ホース用ノズル１３３が作動したならば、ぬめりや着色汚れの発生を抑制し、さらには臭気の原因を断ち易くできるようになる時間である。加えて、小便器１内に残った尿中のリン酸イオンや、カルシウムイオンが原因となって不溶性の尿石が、小便器１の排水トラップ１３と横引き排水管５１とを結ぶ排水接続継手アダプタ４１内にできるのを抑制し易くなる時間である。
【００６２】
Ｓ８４では、ジェット洗浄器の作動を停止する。Ｓ８３でジェット洗浄器が所定時間作動すると（例えば３分）、ぬめり等の発生を抑制できる。このため、それ以上、ジェット洗浄器の作動を継続する必要がないからである。
また、実施例３では、給水１回毎にジェット洗浄器１３１の作動を制御部７０により１回行う。このため尿石の発生を抑制し易い。
【００６３】
（作用効果）
実施例３では、給水部３５からの給水１回毎にジェット洗浄器１３１の作動を１回行う。このため、ジェット洗浄器１３１の作動が頻繁に行われるといえるので、ジェット洗浄器１３１による洗浄性能が高いといえる。
【実施例４】
【００６４】
次に図９を参照して実施例４について述べる。この実施例４に係る発明は、トイレの流し回数が所定回数になったなら、制御部７０によりジェット洗浄器を作動させるというものである。
【００６５】
Ｓ９１では、給水部３５によるトイレへの流しがあったか否かを判定する。肯定判定すればＳ９２に進む。否定判定した場合は、肯定判定するまでこのルーチンを繰り返す。
Ｓ９２では、給水部３５による流しが何回目かカウンター７０ｂによりカウントする。流しの回数がＮ回目に等しくなったら肯定判定し、Ｓ９３に進む。否定判定した場合は、肯定判定するまでこのルーチンを繰り返す。
【００６６】
Ｓ９３ではジェット洗浄器１３１による作動が実行される。
Ｓ９４ではジェット洗浄器１３１が作動してから所定時間（例えば３分）が経過したか否かを判定する。肯定判定すればＳ９５に進む。否定判定した場合は、肯定判定するまでこのルーチンを繰り返す。Ｓ９４でいう所定時間は、ジェット洗浄器１３１の作動時間を示す。
Ｓ９５では、ジェット洗浄器１３１の作動を停止する。
【００６７】
（作用効果）
給水部３５による給水回数が複数回に一回の割合でジェット洗浄器１３１による洗浄が行われる。このため、節水に寄与する。
【符号の説明】
【００６８】
１ 小便器（水洗式便器）
３ 水洗式便器本体
５ ケース体
７ 排泄設備
８ 脱臭装置
１３ 排水トラップ
１３ａ 天井面
１３ｂ 貫通孔
１３ｃ ブシュ
３１ 受面部
３２ ボール部
３４ 垂れ受部分
３５ 給水部
３６ 排水口
４１ 排水接続継手アダプタ（連結管）
５１ 横引き排水管
７０ 制御部
７０ａ タイマー
７０ｂ カウンター
１００ 臭気排出管
１０２ 開口
１３０ ガスケット
１３１ ジェット洗浄器（液体吐出手段）
１３３ ホース用ノズル
１３４ 超高圧ホース
１３６ フランジ
４００ トラップ用接続構造
４０２ 外嵌部
４０４ 内嵌部
４０６ シールリング
４１２ 内嵌部
４１３ 排水管用接続構造
４１４ 巻着部
４１４ａ 自由端
４１５ シールリング
Ａ  白矢印
ａ 部位
Ｏ 開口
Ｓ スペース
ＳＰ 空間
【図１】
2013104281.tif 000003
【図２】
2013104281.tif 000004
【図３】
2013104281.tif 000005
【図４】
2013104281.tif 000006
【図５】
2013104281.tif 000007
【図６】
2013104281.tif 000008
【図７】
2013104281.tif 000009
【図８】
2013104281.tif 000010
【図９】
2013104281.tif 000011